(57)【要約】【課題】製造コストを低減できるとともに、所望の強度を容易に得ることができるボールジョイント用ハウジングを提供する。【解決手段】ボールジョイント用ハウジング７は、後にかしめ加工するかしめ部10を有する第１ハウジング体11を備える。第１ハウジング体11の外周側には第２ハウジング体12を一体的に設ける。第１ハウジング体11をかしめ加工が容易な高伸び材料にて形成し、第２ハウジング体12をその高伸び材料より伸びにくい低伸び材料にて形成する。【選択図】図１
2007239846.tif 000002
【特許請求の範囲】
【請求項１】
かしめ加工されるかしめ部を有する第１ハウジング体と、
この第１ハウジング体に設けられた第２ハウジング体とを備え、
前記第１ハウジング体は、かしめ加工が容易な高伸び材料にて形成され、
前記第２ハウジング体は、前記高伸び材料より伸びにくい低伸び材料にて形成されている
ことを特徴とするボールジョイント用ハウジング。
【請求項２】
かしめ加工されるかしめ部を有する第１ハウジング体と、この第１ハウジング体に設けられた第２ハウジング体とを備えるボールジョイント用ハウジングの製造方法であって、
かしめ加工が容易な高伸び材料にて形成された前記第１ハウジング体を所定形状の型内にセットする工程と、
その第１ハウジング体がセットされた型内に前記高伸び材料より伸びにくい低伸び材料を入れて凝固させることにより、前記第１ハウジング体に前記第２ハウジング体を一体的に設ける工程と
を備えることを特徴とするボールジョイント用ハウジングの製造方法。
【請求項３】
第１ハウジング体は、軸方向端部にかしめ部を有する略円筒形状のものであり、
前記第１ハウジング体における前記かしめ部以外の部分の外周面を覆うように、前記第１ハウジング体の外周側に第２ハウジング体を一体的に設ける
ことを特徴とする請求項２記載のボールジョイント用ハウジングの製造方法。
【請求項４】
第１ハウジング体は、かしめ部以外の部分の外周面に凸部および凹部の少なくともいずれか一方を有する
ことを特徴とする請求項３記載のボールジョイント用ハウジングの製造方法。
【発明の詳細な説明】
【技術分野】
【０００１】
本発明は、ボールジョイントに用いられるボールジョイント用ハウジングおよびその製造方法に関するものである。
【背景技術】
【０００２】
従来、ボールスタッドのボール部をベアリングシートを介して回動可能に保持するボールジョイント用ハウジング（ソケット）としては、その全体がかしめ加工が容易な高伸び材料にて軸方向端部にかしめ部を有する略円筒形状に形成されたものが知られている（例えば、特許文献１参照）。
【特許文献１】特開２００４−２９３５７２号公報
【発明の開示】
【発明が解決しようとする課題】
【０００３】
しかしながら、ボールジョイント用ハウジングの全体をかしめ加工が容易な高伸び材料にて形成する場合には、高伸び材料の材料費が高いため、全体としてコスト高となるおそれがあり、また形状等によっては強度確保に困難を伴うおそれがある。
【０００４】
本発明は、このような点に鑑みなされたもので、製造コストの低減を図ることができるとともに、所望の強度を容易に得ることができるボールジョイント用ハウジングおよびその製造方法を提供することを目的とする。
【課題を解決するための手段】
【０００５】
請求項１記載のボールジョイント用ハウジングは、かしめ加工されるかしめ部を有する第１ハウジング体と、この第１ハウジング体に設けられた第２ハウジング体とを備え、前記第１ハウジング体は、かしめ加工が容易な高伸び材料にて形成され、前記第２ハウジング体は、前記高伸び材料より伸びにくい低伸び材料にて形成されているものである。
【０００６】
請求項２記載のボールジョイント用ハウジングの製造方法は、かしめ加工されるかしめ部を有する第１ハウジング体と、この第１ハウジング体に設けられた第２ハウジング体とを備えるボールジョイント用ハウジングの製造方法であって、かしめ加工が容易な高伸び材料にて形成された前記第１ハウジング体を所定形状の型内にセットする工程と、その第１ハウジング体がセットされた型内に前記高伸び材料より伸びにくい低伸び材料を入れて凝固させることにより、前記第１ハウジング体に前記第２ハウジング体を一体的に設ける工程とを備えるものである。
【０００７】
請求項３記載のボールジョイント用ハウジングの製造方法は、請求項２記載のボールジョイント用ハウジングの製造方法において、第１ハウジング体は、軸方向端部にかしめ部を有する略円筒形状のものであり、前記第１ハウジング体における前記かしめ部以外の部分の外周面を覆うように、前記第１ハウジング体の外周側に第２ハウジング体を一体的に設けるものである。
【０００８】
請求項４記載のボールジョイント用ハウジングの製造方法は、請求項３記載のボールジョイント用ハウジングの製造方法において、第１ハウジング体は、かしめ部以外の部分の外周面に凸部および凹部の少なくともいずれか一方を有するものである。
【発明の効果】
【０００９】
請求項１に係る発明によれば、第１ハウジング体をかしめ加工が容易な高伸び材料にて形成し、第２ハウジング体を高伸び材料より伸びにくい低伸び材料にて形成することで、製造コストの低減を図ることができるとともに、所望の強度を容易に得ることができる。
【００１０】
請求項２に係る発明によれば、かしめ加工が容易な高伸び材料にて形成された第１ハウジング体を所定形状の型内にセットした後、その型内に高伸び材料より伸びにくい低伸び材料を入れて凝固させることにより第１ハウジング体に第２ハウジング体を一体的に設けることで、製造コストの低減を図ることができるとともに、所望の強度を容易に得ることができる。
【００１１】
請求項３に係る発明によれば、第１ハウジング体におけるかしめ部以外の部分の外周面を覆うように第１ハウジング体の外周側に第２ハウジング体を一体的に設けることで、所望の強度を容易かつ確実に得ることができる。
【００１２】
請求項４に係る発明によれば、第１ハウジング体がかしめ部以外の部分の外周面に凸部および凹部の少なくともいずれか一方を有するため、第１ハウジング体と第２ハウジング体との間の固定力を向上でき、所望の強度をより一層容易かつ確実に得ることができる。
【発明を実施するための最良の形態】
【００１３】
本発明のボールジョイント用ハウジングの一実施の形態を図１および図２を参照して説明する。
【００１４】
図２において、１はボールジョイントで、このボールジョイント１は、例えば自動車の懸架装置、或いは操舵装置等に用いられるものである。
【００１５】
ボールジョイント１は、鋼鉄製等のボールスタッド２を備え、ボールスタッド２は、略球状のボール部３、このボール部３に一体に突設された軸状のスタッド部４およびこのスタッド部４の外周側に一体に突設された円環状の鍔部５を有している。
【００１６】
また、ボールジョイント１は、ボールスタッド２のボール部３を合成樹脂製等のベアリングシート６を介して回動可能に保持する略有底円筒形状のソケット等のボールジョイント用ハウジング７を備えている。そして、ボールスタッド２の鍔部５とボールジョイント用ハウジング７のカバー用段部８との間には、弾性変形可能なゴム製等のダストカバー９が設けられている。
【００１７】
ここで、図１はかしめ加工前のボールジョイント用ハウジング７を示す断面図であり、このボールジョイント用ハウジング７は、インサート成形により形成された２重構造のダイカスト製ソケットである。
【００１８】
ボールジョイント用ハウジング７は、図１に示されるように、後にかしめ加工されるかしめ部10を有する第１ハウジング体11と、この第１ハウジング体11の外周側に一体的に設けられた第２ハウジング体12とを備えている。
【００１９】
第１ハウジング体11は、かしめ加工が容易な高伸び材料（例えば鋼、アルミニウム或いは亜鉛等）にて、軸方向一端部（図１中、上端部）にかしめ部10を有する両端面開口状の略円筒形状に形成されている。
【００２０】
なお、かしめ部10は、かしめ加工により第１ハウジング体11の軸方向に沿った中心軸側にやや伸びるように縮径変形し、その結果、ボールスタッド２のボール部３がボールジョイント用ハウジング７内から抜け出ない状態になる（図２参照）。
【００２１】
第２ハウジング体12は、第１ハウジング体11の高伸び材料より伸びにくくかつ安価な低伸び材料（例えばＡＤＣ１２等）にて、略有底円筒形状に形成されている。第２ハウジング体12の内周側には第１ハウジング体11の軸方向他端部（図１中、下端部）と係合する段部13が形成され、第２ハウジング体12の外周側にはダストカバー９と係合するカバー用段部８が形成されている。
【００２２】
次に、このボールジョイント用ハウジング７の製造方法を説明する。
【００２３】
まず、かしめ加工が容易な高伸び材料にて両端面開口状の略円筒形状に形成された第１ハウジング体11を得る。例えばパイプからの切断、プレス成形、鍛造、ダイカスト等によって、第１ハウジング体11を得る。
【００２４】
そして、第１ハウジング体11を図示しない所定形状のダイカスト金型内にセットし、その第１ハウジング体11がセットされたダイカスト金型内に液状の低伸び材料を押し込んで凝固させることにより、第１ハウジング体11の外周側に第２ハウジング体12を一体的に設ける。
【００２５】
この際、例えば第２ハウジング体12の開口側部分で第１ハウジング体11におけるかしめ部10以外の部分全体の外周面全面を覆うように、第１ハウジング体11の外周側に略有底円筒形状の第２ハウジング体12を一体的に設けて第１ハウジング体11と第２ハウジング体12とを一体化し、第１ハウジング体11が第２ハウジング体12内から抜け出ない状態にする。
【００２６】
そして、ボールジョイント用ハウジング７によれば、第１ハウジング体11をかしめ加工が容易な高伸び材料にて形成し、かつ第２ハウジング体12を高伸び材料より伸びにくい安価な低伸び材料にて形成することで、製造コストの低減を図ることができるとともに、所望の強度を容易に得ることができ、しかも、幅広い材料選定が可能となるとともに、かしめ部10を鋼等にすることで信頼性（品質、強度）が向上する。
【００２７】
なお、上記実施の形態では、両端面開口状の略円筒形状をなす第１ハウジング体11の外周面が円筒面状である場合について説明したが、例えば第１ハウジング体11と第２ハウジング体12との間の固定力を向上させるために、第１ハウジング体11が、かしめ部10以外の部分の外周面に凸部および凹部の少なくともいずれか一方を有するようにしてもよい。
【００２８】
例えば図３に示す第１ハウジング体11では、第１ハウジング体11の軸方向一端部がかしめ部10となっており、第１ハウジング体11の軸方向他端部外周側に円形環状の凸部21が形成されている。
【００２９】
また例えば図４に示す第１ハウジング体11では、第１ハウジング体11の軸方向一端部がかしめ部10となっており、第１ハウジング体11の軸方向一端部以外の部分の外周面に複数本の溝状の凹部22がアヤメローレット等により形成されている。
【００３０】
なお、例えば図示しないが、第１ハウジング体11の軸方向一端部であるかしめ部10以外の部分の外周面に複数本の溝状の凹部をアヤメローレット等により形成するとともに、軸方向他端部外周側に円形環状の凸部を形成するようにしてもよい。
【００３１】
また、インサート成形により形成された２重構造のものには限定されず、例えば第１ハウジング体11と第２ハウジング体12とを別々に作った後に、第１ハウジング体11に第２ハウジング体12を固着したもの等でもよい。
【００３２】
さらに、第１ハウジング体11や第２ハウジング体12の形状は任意であり、また開口かしめタイプには限定されず、プラグかしめタイプでもよい。
【００３３】
すなわち、図１および図２に示すような第１ハウジング体11が両端面開口状の略円筒形状で、第２ハウジング体12が一端面開口状の略円筒形状つまり略有底円筒形状（コップ形状）である構成には限定されず、例えば図５に示すような第１ハウジング体11が略有底円筒形状で、第２ハウジング体12が両端面開口状の略円筒形状である構成でもよく、また図６に示すような第１ハウジング体11および第２ハウジング体12の両方が両端面開口状の略円筒形状である構成でもよく、さらに図示しないが第１ハウジング体11および第２ハウジング体12の両方が略有底円筒形状である構成等でもよい。なお、図６に示すボールジョイント１が開口かしめタイプのもので、第１ハウジング体11のかしめ部10のかしめ加工によってプラグ30が固定されている。
【００３４】
また、第１ハウジング体11の高伸び材料や第２ハウジング体12の低伸び材料は、金属には限定されず、樹脂等でもよい。
【００３５】
なお、本発明はボールジョイントとしてのボールブッシュ（ピロボール）用のハウジングにも適用できる。
【図面の簡単な説明】
【００３６】
【図１】本発明の一実施の形態に係るボールジョイント用ハウジングを示す断面図である。
【図２】同上ボールジョイント用ハウジングを備えたボールジョイントを示す断面図である。
【図３】本発明の他の実施の形態に係るボールジョイント用ハウジングの第１ハウジング体を示す正面図である。
【図４】本発明のさらに他の実施の形態に係るボールジョイント用ハウジングの第１ハウジング体を示す正面図である。
【図５】本発明のさらに他の実施の形態に係るボールジョイント用ハウジングを備えたボールジョイントを示す断面図である。
【図６】本発明のさらに他の実施の形態に係るボールジョイント用ハウジングを備えたボールジョイントを示す断面図である。
【符号の説明】
【００３７】
７    ボールジョイント用ハウジング
10    かしめ部
11    第１ハウジング体
12    第２ハウジング体
21  凸部
22  凹部
【図１】
2007239846.tif 000003
【図２】
2007239846.tif 000004
【図３】
2007239846.tif 000005
【図４】
2007239846.tif 000006
【図５】
2007239846.tif 000007
【図６】
2007239846.tif 000008